(57)【要約】      （修正有）【課題】柱を基礎により起立支持することにより、柱の接合部の断面積を低下させることなく、該柱を強固に支持し、地震等の大きな衝撃に耐える木造建築物の柱支持装置を得る。【解決手段】底面が閉塞された金属製の筒体１８を設け、該筒体１８を木材製の柱２５の下端部に密接に嵌合させてその下部をコンクリート製の基礎１５に埋設し、前記筒体１８の下部を前記基礎１５に埋設された金属製の保持具２３により保持する。また、上記基礎１５の上面に木材製の土台２６を締結するとともに、該土台２６の端面を筒体１８の上部側面に当接または接近させる。【選択図】        図２
2004308365.tif 000002
【特許請求の範囲】
【請求項１】
底面が閉塞された金属製の筒体（１８）を設け、該筒体（１８）を木材製の柱（２５）の下端部に密接に嵌合させてその下部をコンクリート製の基礎（１５）に埋設し、前記筒体（１８）の下部を前記基礎（１５）に埋設された金属製の保持具（２３）により保持したことを特徴とする木造建築物の柱支持装置。
【請求項２】
基礎（１５）の上面に木材製の土台（２６）を締結するとともに、該土台（２６）の端面を筒体（１８）の上部側面に当接または接近させたことを特徴とする請求項１記載の木造建築物の柱支持装置。
【請求項３】
柱（２５）と筒体（１８）との間に楔（２７）を打ち込んだことを特徴とする請求項２記載の木造建築物の柱支持装置。
【請求項４】
木材製の柱（２５）の下端部に底面が閉塞された金属製の筒体（１８）を嵌合させ、コンクリート製の基礎（１５）に前記筒体（１８）の下部が遊嵌する凹部（１７）を形成するとともに、該凹部（１７）の底面に前記基礎（１５）に埋設された金属製の保持具（２３）の一部を露出させ、前記筒体（１８）の下部を前記凹部（１７）に嵌合させるとともに該筒体（１８）を前記保持具（２３）を介して基礎（１５）に締結し、次いで前記凹部（１７）と筒体（１８）との間隙部に充填材（３５）を充填し、次いで前記基礎（１５）の上面に木材製の土台（２６）を締結するとともに、その端面を前記筒体（１８）の側面に当接または接近させることを特徴とする木造建築物の柱支持方法。
【発明の詳細な説明】
【０００１】
【発明の属する技術分野】
本発明は、地震等の大きな衝撃に耐える木造建築物の柱支持装置及びその柱支持方法に関するものである。
【０００２】
【従来の技術】
従来は図１２に示すようになっていた。図１２において、１は鉄筋コンクリート製の基礎であり、該基礎１には土台４を締結する土台アンカーボルト２が、また、主柱５が起立する部位には柱アンカーボルト３がそれぞれ上部を露出させた状態で長手方向に所定の間隔をおいて埋設されている。
【０００３】
上記基礎１の上面に木材製の土台４を載置するとともに、該土台４に上記土台アンカーボルト２、柱アンカーボルト３を挿通し、土台アンカーボルト２の上端部にナットを螺合させて上記土台４を基礎１に締結する。この土台４には、柱支持用のほぞ孔４ａ，４ａが長手方向に所定ピッチで形成されている。上記土台４に起立支持される木材製の柱、即ち、主柱５及び副柱６の下部にそれぞれほぞ５ａ，６ａを形成し、該ほぞ５ａ，６ａを上記土台４に形成した所定のほぞ孔４ａ，４ａに嵌合させて該主柱５及び副柱６を土台４に起立させる。
【０００４】
そして、上記主柱５の下端部の一側に金属製の緊結プレート（ホールダウン金物）７をボルト８を介して連結し、該緊結プレート７の下部に設けたブラケット７ａに前述した柱アンカーボルト３の上部を挿通し、該柱アンカーボルト３の上端部にナットを螺合させて上記主柱５を土台４及び基礎１に締結する。また、上記副柱６と土台４との角部に側面視三角形状のガセットプレート９を当て、該ガセットプレート９の起立辺９ａをボルト１０により副柱６に締結し、底辺９ｂをボルト１１により土台に締結するようにしたものがあった。（例えば、非特許文献１参照）。
【０００５】
【非特許文献１】
編者；建築図解事典編集委員会「図解事典建築のしくみ」、発行所；株式会社彰国社、２００２年５月１０日、第１版第３刷、第８８頁、第９８頁
【０００６】
【発明が解決しようとする課題】
上記従来のものは、柱５，６が断面積の小さいほぞ５ａ，６ａ及びほぞ孔４ａ、４ａを介して土台４に起立支持されていたので、柱５，６と土台４との接合強度が弱くなる。また、柱５，６と土台４とを締結するボルト８、１０が柱５，６を貫通していたので、該柱５，６の締結部の断面積が小さくなるとともに、地震等の大きな負荷が加わると、上記ボルト８、１０が挿通される柱５，６のボルト孔部に応力集中が発生し、該柱５，６が折損し易くなるものであった。本発明は柱の断面積を小さくすることなく該柱の下部を基礎に強固に締結できるようにすることにより、上記欠点を解消した新規な木造建築物の柱支持装置を得ることを目的とする。
【０００７】
【課題を解決するための手段】
本発明は、上記目的を達成するために以下の如く構成したみまである。即ち、請求項１に係る発明は、底面が閉塞された金属製の筒体を設け、該筒体を木材製の柱の下端部に密接に嵌合させてその下部をコンクリート製の基礎に埋設し、該筒体の下部を前記基礎に埋設された金属製の保持具により保持する構成にしたものである。
請求項２に係る発明は、前記基礎の上面に木材製の土台を締結するとともに、該土台の端面を筒体の上部側面に当接または接近させるようにしたものである。また、請求項３に係る発明は、前記柱と筒体との間に楔を打ち込むようにしたものである。
請求項４に係る発明は、木材製の柱の下端部に底面が閉塞された金属製の筒体を嵌合させ、コンクリート製の基礎に前記筒体の下部が遊嵌する凹部を形成するとともに、該凹部の底面に前記基礎に埋設された金属製の保持具の一部を露出させ、前記筒体の下部を前記凹部に嵌合させるとともに該筒体を前記保持具を介して基礎に締結し、次いで前記凹部と筒体との間隙部に充填材を充填し、次いで前記基礎の上面に木材製の土台を締結するとともに、その端面を前記筒体の側面に当接または接近させる構成にしたものである。
【０００８】
【発明の実施の形態】
以下本発明の実施の形態を図面に基いて説明する。図面において、図１は本発明の実施例を示す一部断面平面図、図２は図１のＩＩ−ＩＩ断面図、図３は本発明による筒体の第１実施例を示す斜視図、図４は図１のＩＶ−ＩＶ断面図、図５は本発明による筒体の第２実施例を示す斜視図、図６は図１のＶＩ−ＶＩ断面図、図７は本発明による筒体の第３実施例を示す斜視図、図８は凹部を有する基礎部の平面図、図９は凹部への保持具埋設状態を示す一部断面側面図、図１０は基礎への柱仮止め状態を示す一部断面側面図、図１１は他の例による基礎への凹部形成状態を示す一部断面側面図である。
【０００９】
図１〜図７において、１４は地面を覆う鉄筋コンクリート製のベース、１５はベース１４上にて井桁状に突出形成された鉄筋コンクリート製の基礎である。該基礎１５は、建物の外壁部に対応した外郭基礎１５ａ、及び内部の壁部に対応した分岐基礎１５ｂを有する。上記基礎１５には、土台アンカーボルト１６がその上部を露出させて長手方向に所定の間隔をおいて埋設されている。
【００１０】
また、上記基礎１５の主要な柱２５の起立部には、凹部１７（図２、図４、図６）が形成され、該凹部１７に筒体１８が上部を露出させた状態で収容され、アンカーボルトからなる保持具２３、及び凹部１７と筒体１８との間隙部に充填したモルタル又はコンクリートからなる充填材３５（３５ａ，３５ｂ）により基礎１５側に一体的に起立固定（以下植設という）されている。上記筒体１８には柱２５の下端部が密接した状態で嵌合され、該筒体１８により各柱２５が起立固定されている。
【００１１】
上記筒体１８は強度を有するとともに不錆性の金属材、例えばステンレス鋼、アルミニューム合金等により形成される。本例の筒体１８は、植設される箇所に対応させて３種類、即ち、上記外郭基礎１５ａの角部に植設される第１筒体１８−１、外郭基礎１５ａと分岐基礎１５ｂとの分岐部に植設される第２筒体１８−２、及び分岐基礎１５ｂ同士の交差部に植設される第３筒体１８−３となっている。
【００１２】
上記第１筒体１８−１は、図２、図３に示すように、角筒状の筒主体１９の下端に底板２０を一体的に固着してなる。筒主体１９は柱２５の下端部に密接に嵌合する断面積とし、該底板２０は上記筒主体１９の断面積よりも大きく、かつ対角線の後部側に対角辺２０ｅを有する異形正方形状とし、底板２０を上記筒主体１９の前面１９ａ及び右面１９ｃに合致する如く偏倚させてその左辺２０ｂ、後辺２０ｄ及び対角辺２０ｅを上記筒主体１９の左面１９ｂ、後面１９ｄ及び後部角部から側方に突出させ、これらの部位に補強用の側面リブ２２ａ，２２ａ、及び対角リブ２２ｃを形成する。また、上記対角辺２０ｅに２個のボルト孔２１を形成する。この第１筒体１８−１は、図１に示すように、対角リブ２２ｃを外郭基礎１５ａの角部の対角線方向内方に向けて該角部に植設される。
【００１３】
上記第２筒体１８−２は、図４、図５に示すように、前述と同様の筒主体１９の下端に、該筒主体１９の断面積よりも大きい正方形状の底板２０を筒主体１９に対してその前辺２０ａが筒主体１９の前面１９ａに合致する如く偏倚させて一体的に固着し、該底板２０の左右辺２０ｂ，２０ｃ及び後辺２０ｄを筒主体１９の左右面１９ｂ，１９ｃ及び後面１９ｄから側方に突出させ、これらの部に補強用の側面リブ２２ａ，２２ａ、及び一対の後面リブ２２ｂ，２２ｂを形成する。また、上記後辺２０ｄに３個のボルト孔２１を形成する。この第２筒体１８−２は、図１に示すように、後面リブ２２ｂ，２２ｂを分岐基礎１５ｂ側に向けて外郭基礎１５ａと分岐基礎１５ｂとの分岐部に植設される。
【００１４】
上記第３筒体１８−３は、図６、図７に示すように、前述と同様の角筒状の筒主体１９の下端に、正方形状の底板２０を同心状にかつ一体的に固着してなり、上記筒主体１９から側方に突出した四辺の中心部にそれぞれボルト孔２１を形成する。この第３筒体１８−３は、図１に示すように、分岐基礎１５ｂ同士の交叉部に植設される。
【００１５】
上記各第１筒体１８−１〜第３筒体１８−３の高さは、図２、図４、図６に示すように、基礎１５に形成した凹部１７の深さよりも高くする。即ち、該筒体１８−１〜１８−３を凹部１７に植設した際に、その筒主体１９の上端が基礎１５の上面に載置された土台２６の上面と略対応するようにする。この土台２６は木材により断面角形に形成され、上記基礎１５の上面に載置するとともに、その端面を上記各第１筒体１８−１〜第３筒体１８−３の上部側面に当接（または接近）させ、この状態で土台アンカーボルト１６により基礎１５に締結する。
【００１６】
図１、図２、図４、図６において、２７は柱２５が筒体１８から抜け出るのを防止する楔であり、長方形状の板金材の両端部を下方に屈曲させてなり、該楔２７の一方の屈曲片を前述した筒主体１９の上端側から該筒主体１９と柱２５との間に打込み、他方の屈曲片を土台２６に打込むとともに、背片に釘（小ねじ）２８を打ち込んで土台２６に固定する。
【００１７】
前述した凹部１７の形成、及び保持具２３の植設は図８、図９に示すようにして行う。まず、図８に示すように、基礎１５の主要な柱２５の起立部分、本例では外郭基礎１５ａの角部（ア）、外郭基礎１５ａと分岐基礎１５ｂとの分岐部（イ）、分岐基礎１５ｂ同士の交叉部（ウ）に、前述した第１筒体１８−１〜第３筒体１８−３の各底板２０よりも若干大きな断面積となる平面視正方形状の凹部１７を形成する。この場合、上記角部（ア）、分岐部（イ）、及び交叉部（ウ）の内側に隅肉部１５ｃを形成し、角部（ア）及び分岐部（イ）には、基礎１５に埋設した鉄筋１５ｄに連結される補助鉄筋１５ｅを埋設し、上記角部（ア）及び分岐部（イ）を補強する。
【００１８】
次に図８、図９に示すように、治具３０を使用して上記各凹部１７に保持具２３を植設する。上記治具３０は、前述した角部（ア）、分岐部（イ）、又は交叉部（ウ）の基礎１５の上面に掛止される支持板３１の下面に柱状の懸垂具３２を固定し、該懸垂具３２の下端に前述した所定の筒体１８の底板２０に略対応する形状の係止板３３を固定する。該係止板３３には所定の筒体１８の底板２０に形成したボルト孔２１と対応する支持孔（符号省略）を形成し、該支持孔にそれぞれアンカーボルトからなる保持具２３を、ナット３４を介して垂下固定する。また、上記支持板３１に上記支持孔と対応する工具通し孔３１ａを形成する。なお、上記治具３０は、上記各角部（ア）、分岐部（イ）、交叉部（ウ）の凹部１７に個々に対応する複数種類のものにしてもよく、あるいはこれらに共通に対応する一種類のものにしてもよい。
【００１９】
そして、各凹部１７の底部に所定量の生コンクリート又はモルタルからなる下部充填材３５ａを収容し、次いで上記治具３０の支持板３１の端部を前述した角部（ア）、分岐部（イ）、交叉部（ウ）の基礎１５の上面に載置し、係止板３３により上記下部充填材３５ａの上面を押圧するとともに、該係止板３３を介して保持具（アンカーボルト）２３の下部を上記下部充填材３５ａ内に押し込み、この状態で下部充填材３５ａを硬化させる。
【００２０】
次いで、図９に示すように、ボックススパナ等の工具３７を上記工具通し孔３１ａから挿通し、該工具３７により保持具２３を固定した上部側のナット３４を外して上記治具３０を凹部１７から離脱させる。次いで、図１０に示すように、柱２５の下端部に所定の筒体１８（１８−３）を嵌合させ、該柱２５を介して筒体１８を所定の凹部１７内に嵌合させるとともに、該筒体１８の底板２０に形成したボルト孔２１を上記保持具（アンカーボルト）２３に挿通し、該保持具２３の頭部に締結ナット３８を螺合させて仮止めし、筒体１８を介して柱２５を起立させる。
【００２１】
次いで、図６（図２、図４）に示すように、上記凹部１７と筒体１８との間隙部にモルタル又はコンクリートからなる上部充填材３５ｂを充填した後、基礎１５の上面に土台２６を土台アンカーボルト１６を介してボルト締め固定するとともに、その端面を上記筒体１８の側面に当接または接近させる。この場合、図２、図４に示すように、基礎１５から外側に露出した第１筒体１８−１、第２筒体１８−２の露出面、即ち、第１筒体１８−１の前面１９ａ、右面１９ｃ、及び第２筒体１８−２の前面１９ａは、ネット３６を張った後、こて等を使用して上記上部充填材３５ｂを塗り、これらの部を覆う。
【００２２】
前述した凹部１７の形成、及び保持具２３の植設は図１１に示すようにして行ってもよい。図１１において、４０は凹部形成治具であり、天板４１の下面に前述した第１筒体１８−１〜第３筒体１８−３の各底板２０よりも若干大きな底面を有する断面逆台形状のケース４２を柱状の取付け具４３を介して固定し、該ケース４２の底板４２ａに前述した筒体１８の底板２０に形成したボルト孔２１と対応する支持孔（符号省略）を形成し、該支持孔にそれぞれアンカーボルトからなる保持具を２３を、ナット３４を介して垂下固定する。また、上記天板４１に上記支持孔と対応する工具通し孔４１ａを形成する。
【００２３】
そして、上記凹部形成治具４０を基礎１５を成形する型枠４５内の所定位置（柱２５の起立部）に配置し、天板４１を介して上記型枠４５に固定する。この状態で上記型枠４５内に基礎用の生コンクリートを充填し、これを硬化させて基礎１５を形成する。次いで、同図に示すように、ボックススパナ等の工具３７を上記工具通し孔４１ａから挿通し、該工具３７により保持具２３を固定した上部側のナット３４を外した後、上記治具４０を基礎１５から離脱させ、これにより、上記基礎１５の柱２５の起立部に凹部１７を形成するとともに、該凹部１７の底部に保持具２３を起立固定する。
【００２４】
【発明の効果】
以上の説明から明らかな如く、本願の請求項１に係る発明は、金属製の筒体の下部を基礎に埋設するとともに、該筒体を基礎に埋設した保持具で保持し、この筒体に柱の下端部を密接に嵌合させて起立させるようにしたので、柱の接合部の断面積が低下せず、また、柱が強度の高い基礎により起立支持されることになり、該柱を強固に起立支持することができる。さらに、従来のように柱と土台との接合部に、ほぞ、及びほぞ孔を形成する必要がなく、加工工数が低減することになる。
また、請求項２に係る発明は、基礎の上面に締結した土台の端面を上記筒体の上部側面に当接または接近させるようにしたので、上記柱の支持面積が増大し、より強固に起立支持することができる。
また、請求項３に係る発明は、上記柱と筒体との間に楔を打ち込むようにしたので、柱の接合部の断面積を低下させることなく該柱の筒体からの抜けを防止することができる。
また、請求項４に係る発明は、基礎に筒体が遊嵌する凹部を形成し、該凹部に筒体を柱の下端部に嵌合させて収容するようにしたので、柱を傾けてその下端部を凹部に収容した後これを起立させることができ、基礎への柱の設置作業が容易となる。また、上記柱を起立させた後、筒体を保持具により基礎に締結し、次いで上記凹部と筒体との間隙部にモルタル、コンクリート等の充填材を充填するようにしたので、上記柱を強固に基礎に支持することができる。さらに、上記基礎の上面に締結する土台の端面を上記筒体の側面に当接または接近させるようにしたので、上記柱の支持面積が増大し、より強固に起立支持することができるとともに、土台で直接柱を支持する必要がないので、該土台の肉厚を薄くしたり、安価な材料にしたりする等、該土台を簡素にすることができる。
【図面の簡単な説明】
【図１】本発明の実施例を示す一部断面平面図である。
【図２】図１のＩＩ−ＩＩ断面図である。
【図３】本発明による筒体の第１実施例を示す斜視図である。
【図４】図１のＩＶ−ＩＶ断面図である。
【図５】本発明による筒体の第２実施例を示す斜視図である。
【図６】図１のＶＩ−ＶＩ断面図である。
【図７】本発明による筒体の第３実施例を示す斜視図である。
【図８】凹部を有する基礎部の平面図である。
【図９】凹部への保持具埋設状態を示す一部断面側面図である。
【図１０】基礎への柱仮止め状態を示す一部断面側面図である。
【図１１】他の例による基礎への凹部形成状態を示す一部断面側面図である。
【図１２】従来例を示す一部断面側面図である。
【符号の説明】
１４    コンクリート製のベース
１５      コンクリート製の基礎
１５ａ  外郭基礎
１５ｂ  分岐基礎
１５ｃ  隅肉部
１５ｄ  鉄筋
１５ｅ  補助鉄筋
１６    土台アンカーボルト
１７    凹部
１８（１８−１，１８−２，１８−３）    筒体
１９    筒主体
１９ａ  前面
１９ｂ  左面
１９ｃ  右面
１９ｄ  後面
２０    底板
２０ａ  前辺
２０ｂ  左辺
２０ｃ  右辺
２０ｄ  後辺
２０ｅ  対角辺
２１    ボルト孔
２２ａ  側面リブ
２２ｂ  後面リブ
２２ｃ  対角リブ
２３    保持具（アンカーボルト）
２５    柱
２６    土台
２７    楔
２８    釘
３０    治具
３１    支持板
３１ａ  工具通し孔
３２    懸垂具
３３    係止板
３４    ナット
３５    充填材（モルタル、コンクリート）
３５ａ  下部充填材
３５ｂ  上部充填材
３６    ネット
３７    工具
３８    締結ナット
４０    凹部形成治具
４１    天板
４１ａ  工具通し孔
４２    ケース
４２ａ  底板
４３    取付け具
４５    型枠
【図１】
2004308365.tif 000003
【図２】
2004308365.tif 000004
【図３】
2004308365.tif 000005
【図４】
2004308365.tif 000006
【図５】
2004308365.tif 000007
【図６】
2004308365.tif 000008
【図７】
2004308365.tif 000009
【図８】
2004308365.tif 000010
【図９】
2004308365.tif 000011
【図１０】
2004308365.tif 000012
【図１１】
2004308365.tif 000013
【図１２】
2004308365.tif 000014